(57)【特許請求の範囲】
【請求項１】
移動通信端末と基地局とを含んで構成される無線通信システムであって、
前記移動通信端末は、
複数の周波数帯のいずれかを用いて、前記基地局を介して移動体通信網を利用した移動体通信を行う第１の無線通信手段と、
少なくとも１つの無線通信機能を実行する第２の無線通信手段と、
前記第１の無線通信手段および前記第２の無線通信手段の動作状態を検出する動作検出手段と、
前記動作検出手段によって検出された前記第２の無線通信手段の動作状態に応じて、前記第１の無線通信手段による移動体通信に割り当てられる周波数帯の優先度を設定する優先度設定手段と、を備え、
前記移動通信端末の前記第１の無線通信手段は、前記優先度設定手段により設定された前記優先度を前記基地局へ送信し、
前記基地局は、前記第１の無線通信手段から前記優先度を受信すると、当該受信した優先度と、現在の周波数帯の使用状態とに応じて、前記移動通信端末の第１の無線通信手段との通信に割り当てる周波数帯を決定することを特徴とする、無線通信システム。
【請求項２】
前記移動通信端末の前記動作検出手段は、前記第１の無線通信手段による通信イベントが発生したときに、前記第２の無線通信手段の動作状態を検出し、
前記移動通信端末の前記優先度設定手段は、前記通信イベントの発生時に前記動作検出手段によって検出された前記第２の無線通信手段の動作状態に応じて、前記第１の無線通信手段による移動体通信に割り当てられる周波数帯の優先度を設定することを特徴とする請求項１に記載の無線通信システム。
【請求項３】
前記移動通信端末の前記動作検出手段は、前記第２の無線通信手段におけるいずれかの無線通信機能を起動させる起動要求イベントが発生したときに、前記第２の無線通信手段の動作状態を検出し、
前記移動通信端末の前記優先度設定手段は、前記起動要求イベントの発生時に前記動作検出手段によって検出された前記第２の無線通信手段の動作状態に応じて、前記第１の無線通信手段による移動体通信に割り当てられる周波数帯の優先度を設定することを特徴とする請求項１に記載の無線通信システム。
【請求項４】
前記移動通信端末が、前記第１の無線通信手段と前記第２の無線通信手段との間に干渉が発生しているか否かを判定する干渉判定手段をさらに備え、
前記移動通信端末の前記動作検出手段は、前記第１の無線通信手段による移動体通信中において、前記第２の無線通信手段におけるいずれかの無線通信機能を起動させる起動要求イベントが発生したときに、前記第１の無線通信手段により使用されている第１の周波数帯と、前記起動要求イベントにより起動される第２無線通信手段により使用される第２の周波数帯とを検出し、
前記移動通信端末の前記干渉判定手段は、前記第１の周波数帯および前記第２の周波数帯を比較して、前記第１無線通信手段と前記第２無線通信手段との間に干渉が発生しているか否かを判定し、
前記干渉判定手段により前記第１無線通信手段と前記第２無線通信手段との間に干渉が発生していると判定された場合に、前記移動通信端末の前記優先度設定手段は、前記第２の周波数帯に応じて、前記第１の無線通信手段による移動体通信に割り当てられる周波数帯の新たな優先度を設定し、
前記移動通信端末の前記第１無線通信手段は、前記優先順位設定手段により設定された前記新たな優先度を前記基地局へ送信し、前記基地局により割り当てられた新たな周波数帯を使用して移動体通信を行うことを特徴とする請求項１から３のいずれか１項に記載の無線通信システム。
【請求項５】
複数の周波数帯のいずれかを用いて、基地局を介して移動体通信網を利用した移動体通信を行う第１の無線通信手段、及び少なくとも１つの無線通信機能を実行する第２の無線通信手段を備える移動通信端末と、前記基地局とを含んで構成される無線通信システムで実行される周波数割当方法であって、
前記移動通信端末が、前記第２の無線通信手段の動作状態を検出する動作検出ステップと、
前記移動通信端末が、前記動作検出ステップにおいて検出された前記第２の無線通信手段の動作状態に応じて、前記第１の無線通信手段による移動体通信に割り当てられる周波数帯の優先度を設定する優先度設定ステップと、
前記移動通信端末が、前記優先度設定ステップにおいて設定された前記優先度を前記基地局へ送信する送信ステップと、
前記基地局が、前記送信ステップにおいて送信された前記優先度を受信すると、当該受信した優先度と、現在の周波数帯の使用状態とに応じて、前記移動通信端末の前記第１の無線通信手段との通信に割り当てる周波数帯を決定する周波数帯割当ステップと、を含む周波数割当方法。
【発明の詳細な説明】
【技術分野】
【０００１】
本発明は、複数の無線通信機能を備える移動通信端末、無線通信システム、及び周波数割当方法に関するものである。
【背景技術】
【０００２】
近年、移動体通信分野では、トラフィック増加に対応して通信可能チャネルを確保するため、異なる通信事業者による通信を利用できるよう、一台の移動通信端末で複数の周波数帯域をサポートするマルチバンド化が進んでいる。例えば、特許文献１には、携帯電話と無線ＬＡＮ通信装置の２つの無線装置を選択的に使用する移動端末が開示されている。この移動端末は、携帯電話と無線ＬＡＮ通信装置における基地局送信電波の受信強度に基づいて、使用する無線装置を切り替えている。
【０００３】
また、ＧＰＳ、ＴＶ、無線ＬＡＮなどのように、移動通信端末に搭載される無線アプリケーションは多様化してきており、一台の端末に複数の無線機が搭載されている場合が多くなっている。このような移動通信端末では、搭載されている複数の無線機の機能を同時に実行する状況が起こりうる。例えば、携帯通信中にＧＰＳによる位置測位が行われたり、ＴＶ視聴中に携帯着信など携帯通信が行われることがある。
【特許文献１】特開２００６−１２１４６８号公報
【発明の開示】
【発明が解決しようとする課題】
【０００４】
しかし、上記従来技術に係る移動通信端末では、同一の端末に搭載された複数の無線機がそれぞれ独立して制御されているため、複数の無線機を同時に動作させると、各無線機の送受信で利用される周波数帯の組み合わせによっては、各無線機の間で干渉が発生するおそれがある。
【０００５】
そこで本発明は、上記問題点を解決し、同一端末内の複数の無線機を同時に動作させても、各無線機の間で干渉の発生を回避できる移動通信端末、無線通信システムおよび周波数割当方法を提供することを目的とする。
【課題を解決するための手段】
【０００６】
上記課題を解決するために、本発明の移動通信システムは、移動通信端末と基地局とを含んで構成される無線通信システムであって、移動通信端末は、複数の周波数帯のいずれかを用いて、基地局を介して移動体通信網を利用した移動体通信を行う第１の無線通信手段と、少なくとも１つの無線通信機能を実行する第２の無線通信手段と、第１の無線通信手段および第２の無線通信手段の動作状態を検出する動作検出手段と、動作検出手段によって検出された第２の無線通信手段の動作状態に応じて、第１の無線通信手段による移動体通信に割り当てられる周波数帯の優先度を設定する優先度設定手段と、を備え、移動通信端末の第１の無線通信手段は、優先度設定手段により設定された優先度を基地局へ送信し、基地局は、第１の無線通信手段から優先度を受信すると、当該受信した優先度と、現在の周波数帯の使用状態とに応じて、移動通信端末の第１の無線通信手段との通信に割り当てる周波数帯を決定することを特徴としている。ここで、本発明の「無線通信手段」および「無線通信機能」とは、送受信機能だけではなく、送信または受信のいずれかの機能のみをも含むものとする。
【０００８】
また、上記課題を解決するために、本発明の周波数割当方法は、複数の周波数帯のいずれかを用いて、基地局を介して移動体通信網を利用した移動体通信を行う第１の無線通信手段、及び少なくとも１つの無線通信機能を実行する第２の無線通信手段を備える移動通信端末と、基地局とを含んで構成される無線通信システムで実行される周波数割当方法であって、移動通信端末が、第２の無線通信手段の動作状態を検出する動作検出ステップと、移動通信端末が、動作検出ステップにおいて検出された第２の無線通信手段の動作状態に応じて、第１の無線通信手段による移動体通信に割り当てられる周波数帯の優先度を設定する優先度設定ステップと、移動通信端末が、優先度設定ステップにおいて設定された優先度を基地局へ送信する送信ステップと、基地局が、送信ステップにおいて送信された優先度を受信すると、当該受信した優先度と、現在の周波数帯の使用状態とに応じて、移動通信端末の第１の無線通信手段との通信に割り当てる周波数帯を決定する周波数帯割当ステップと、を含んでいる。
【０００９】
これらの構成により、移動通信端末に含まれる複数の無線通信手段の動作状態応じて設定される優先度に基づいて、移動体通信に使用する周波数帯が選択されるので、無線通信手段の間で干渉が発生しにくい周波数帯を移動体通信に割り当てることができ、同一端末内の複数の無線通信手段を同時に動作させても、各無線通信手段の間で干渉が発生するのを回避することができる。
【００１０】
また、本発明の移動通信システムにおいては、移動通信端末の動作検出手段は、第１の無線通信手段による通信イベントが発生したときに、第２の無線通信手段の動作状態を検出し、移動通信端末の優先度設定手段は、通信イベントの発生時に動作検出手段によって検出された第２の無線通信手段の動作状態に応じて、第１の無線通信手段による移動体通信に割り当てられる周波数帯の優先度を設定することが好適である。
【００１１】
この構成により、第１の無線通信手段による通信イベントが発生するたびに、優先度設定手段により移動体通信に割り当てられる周波数帯の優先度が設定されるので、同一端末内の複数の無線通信手段の間で干渉が発生するのを回避することができる。
【００１２】
同様に、本発明の移動通信システムにおいては、移動通信端末の動作検出手段は、第２の無線通信手段におけるいずれかの無線通信機能を起動させる起動要求イベントが発生したときに、第２の無線通信手段の動作状態を検出し、移動通信端末の優先度設定手段は、起動要求イベントの発生時に動作検出手段によって検出された第２の無線通信手段の動作状態に応じて、第１の無線通信手段による移動体通信に割り当てられる周波数帯の優先度を設定することが好適である。
【００１３】
この構成により、第２の無線通信手段におけるいずれかの無線通信機能を起動させる起動要求イベントが発生するたびに、優先度設定手段により移動体通信に割り当てられる周波数帯の優先度が設定されるので、同一端末内の複数の無線通信手段の間で干渉が発生するのを回避することができる。
【００１４】
また、移動通信端末が、第１の無線通信手段と第２の無線通信手段との間に干渉が発生しているか否かを判定する干渉判定手段をさらに備え、移動通信端末の動作検出手段は、第１の無線通信手段による移動体通信中において、第２の無線通信手段におけるいずれかの無線通信機能を起動させる起動要求イベントが発生したときに、第１の無線通信手段により使用されている第１の周波数帯と、起動要求イベントにより起動される第２無線通信手段により使用される第２の周波数帯とを検出し、移動通信端末の干渉判定手段は、第１の周波数帯および第２の周波数帯を比較して、第１無線通信手段と第２無線通信手段との間に干渉が発生しているか否かを判定し、干渉判定手段により第１無線通信手段と第２無線通信手段との間に干渉が発生していると判定された場合に、移動通信端末の優先度設定手段は、第２の周波数帯に応じて、第１の無線通信手段による移動体通信に割り当てられる周波数帯の新たな優先度を基地局へ送信し、基地局により割り当てられた新たな周波数帯を使用して無線通信を行うことが好適である。
【００１５】
この構成により、第１の無線通信手段による通信中において、第２の無線通信手段を起動させることによって干渉が生じた場合でも、第１の無線通信手段の通信に使用する周波数帯を変更することができるので、同一端末内の複数の無線通信手段の間で干渉が発生するのを回避することができる。
【発明の効果】
【００１６】
本発明の移動通信端末、無線通信システム、および周波数割当方法によると、移動通信端末に含まれる複数の無線通信手段の動作状態応じて設定される優先度に基づいて、無線通信に使用する周波数帯が選択されるので、無線通信手段の間で干渉が発生しにくい周波数帯を無線通信に割り当てることができ、同一端末内の複数の無線通信手段を同時に動作させても、各無線通信手段の間で干渉が発生するのを回避することができる。
【発明を実施するための最良の形態】
【００１７】
以下、図面を参照して本発明に係る移動通信端末の好適な実施形態について説明する。図１に、本実施形態に係る移動通信端末１０の機能的構成を示す。
【００１８】
移動通信端末１０は、基地局２０を介して移動体通信網を利用した移動体通信を実行するための携帯通信部（第１の無線通信手段）１１と、ＧＰＳ、無線ＬＡＮ、ＴＶなどの少なくとも１つの無線アプリケーションを実行する無線アプリケーション部（第２の無線通信手段）１２という複数の無線通信機能を搭載している。移動通信端末１０は、無線アプリケーション部１２の各無線アプリケーションの動作状態に応じて、携帯通信部１１と基地局２０との間の移動体通信に使用する電波の周波数帯を適宜変更することができる。移動通信端末１０は、このような構成により、自機に搭載されている複数の無線通信機能を同時に動作させても、無線通信機能の間で干渉の発生を回避することができる。
【００１９】
移動通信端末１０は、機能的には、図１に示すように、携帯通信部（第１の無線通信手段）１１、無線アプリケーション部（第２の無線通信手段）１２、動作検出部（動作検出手段）１３、優先度設定部（優先度設定手段）１４、および干渉判定部（干渉判定手段）１５を含むように構成される。携帯通信部１１は、さらに携帯通信機能部１６ａおよび携帯通信送受信機１６ｂを備える。無線アプリケーション部１２は、さらにＧＰＳ機能部１７ａ、ＧＰＳ受信機１７ｂ、無線ＬＡＮ機能部１８ａ、無線ＬＡＮ送受信機１８ｂ、ＴＶ機能部１９ａおよびＴＶ受信機１９ｂを備える。
【００２０】
携帯通信部１１は、基地局２０を介して移動体通信網を利用した移動体通信を実行する手段である。携帯通信部１１は、例えばＩＭＴ−２０００などの移動体通信方式により、様々な周波数帯の複数の無線チャネルを用いて基地局２０との間で電波を送受信する。携帯通信部１１が基地局２０との通信で用いる無線チャネルの周波数帯は、例えば、８００ＭＨｚ、１．５ＧＨｚ、１．７ＧＨｚ、２ＧＨｚ、２．５ＧＨｚである。
【００２１】
携帯通信部１１内の携帯通信機能部１６ａは、図示しないボタン等の入力手段からの通信開始要求に応じて、携帯通信送受信機１６ｂを介して、基地局２０に電波を送信する。その際には基地局２０が制御信号等で予め指定する周波数帯の無線チャネルが使用される。また、携帯通信機能部１６ａは、携帯通信送受信機１６ｂを介して、基地局２０から電波を受信する。この受信電波の周波数は、基地局２０が予め指定する無線チャネルに応じて設定される。
【００２２】
携帯通信機能部１６ａは、基地局２０に電波を送信して発呼処理を行う「発信イベント」や、基地局２０から電波を受信して着呼処理を行う「着信イベント」の発生を、動作検出部１３に通知する。また、携帯通信機能部１６ａは、基地局２０との間で移動体通信の実行中（すなわち通信中）に、動作検出部１３から現在の通信に使用している電波の周波数帯の問い合わせを受信すると、動作検出部１３に現在使用中の電波の周波数帯の情報を通知する。
【００２３】
無線アプリケーション部１２は、ＧＰＳ、無線ＬＡＮ、ＴＶなどの各種無線アプリケーションを実行する手段である。図１では、無線アプリケーションとして、ＧＰＳ（ＧＰＳ機能部１７ａ、ＧＰＳ受信機１７ｂ）、無線ＬＡＮ（無線ＬＡＮ機能部１８ａ、無線ＬＡＮ送受信機１８ｂ）、ＴＶ（ＴＶ機能部１９ａ、ＴＶ受信機１９ｂ）が例示されているが、これらに限定されることなく他のアプリケーションが含まれても良い。
【００２４】
ＧＰＳ機能部１７ａは、ＧＰＳ受信機１７ｂを介して、例えば１．５ＧＨｚ帯の電波によりＧＰＳ衛星（図示せず）からデータを受信する。無線ＬＡＮ機能部１８ａは、無線ＬＡＮ送受信機１８ｂを介して、例えば２．４ＧＨｚ帯の電波を用いてアクセスポイント（図示せず）と通信を行う。ＴＶ機能部１９ａは、ＴＶ受信機１９ｂを介して、例えば９０〜７７０ＭＨｚ帯の電波によりＴＶ放送用アンテナ（図示せず）からデータを受信する。
【００２５】
ＧＰＳ機能部１７ａ、無線ＬＡＮ機能部１８ａ、およびＴＶ機能部１９ａは、移動通信端末１０のユーザからの指令、または外部からのデータ受信などをトリガとして、それぞれに関連付けられた無線アプリケーションを起動させる「起動要求イベント」の発生を、動作検出部１３に通知する。また、動作検出部１３から各機能部に対して、それぞれの機能部に関連付けられた無線アプリケーションが現在動作中であるか否かの問い合わせを受信すると、動作検出部１３に当該アプリケーションの動作の有無を通知する。
【００２６】
動作検出部１３は、携帯通信部１１や無線アプリケーション部１２の動作状態を検出する。動作検出部１３は、携帯通信機能部１６ａ、ＧＰＳ機能部１７ａ、無線ＬＡＮ機能部１８ａ、ＴＶ機能部１９ａに接続されている。動作検出部１３は、携帯通信機能部１６ａから発信イベントまたは着信イベントの発生の通知を受信すると、ＧＰＳ機能部１７ａ、無線ＬＡＮ機能部１８ａ、ＴＶ機能部１９ａに対して、ＧＰＳ、無線ＬＡＮ、ＴＶの各無線アプリケーションが動作中か否かを問い合わせる。ＧＰＳ機能部１７ａ、無線ＬＡＮ機能部１８ａ、ＴＶ機能部１９ａから各無線アプリケーションの動作有無の回答を受信すると、これらの回答に基づき、現在動作中の無線アプリケーションの種類に関する情報を優先度設定部１４へ送信する。
【００２７】
また、動作検出部１３は、ＧＰＳ機能部１７ａ、無線ＬＡＮ機能部１８ａ、またはＴＶ機能部１９ａから無線アプリケーションの起動要求イベントの発生の通知を受信すると、携帯通信機能部１６ａに対して現在通信中か否かを問い合わせる。現在通信中である場合には、併せて現在の通信で使用されている電波の周波数帯を携帯通信機能部１６ａに問い合わせる。そして、動作検出部１３は、携帯通信機能部１６ａから通知された使用中の周波数帯の情報を、起動要求イベントを発生している無線アプリケーションの種類と共に干渉判定部１５に送信する。
【００２８】
優先度設定部１４は、動作検出部１３により検出された無線アプリケーション部１２の各機能部の動作状態に応じて、携帯通信部１１により使用される周波数帯の優先度を設定する。具体的には、優先度設定部１４は、動作検出部１３から現在動作中の無線アプリケーションの種類に関する情報を受信すると、予め用意されているルックアップテーブルを参照して、現在の無線アプリケーションの動作状態をキーとして、干渉の発生しにくい順に周波数帯を並べた周波数帯割当希望リストを設定する。
【００２９】
図３に、周波数帯割当希望リストを設定するために優先度設定部１４で用いられるルックアップテーブルの一例を示す。本実施形態では、前述のとおり、携帯通信に使用する周波数帯は、８００ＭＨｚ、１．５ＧＨｚ、１．７ＧＨｚ、２ＧＨｚ、２．５ＧＨｚの５種類である。この５種類の周波数帯が、無線アプリケーションの動作状態に応じて、干渉を発生しにくい順に並び替えられた周波数帯割当希望リストが選択される。図３を参照すると、ＧＰＳ、無線ＬＡＮ、ＴＶが共にＯＦＦである場合、すなわち無線アプリケーションのすべてが起動されていない場合には、割当希望リストは、低周波数から順に並べられる。すなわち、リストの順番は、８００ＭＨｚ→１．５ＧＨｚ→１．７ＧＨｚ→２ＧＨｚ→２．５ＧＨｚとなる。
【００３０】
ＧＰＳがＯＮである場合、すなわち無線アプリケーション部１２のうちＧＰＳのみが動作中である場合には、ＧＰＳの通信で使用する周波数帯が１．５ＧＨｚなので、携帯通信に利用すると干渉が発生する可能性の高い周波数帯（図３の「干渉周波数帯」）は１．５ＧＨｚ帯である。したがって、干渉周波数帯１．５ＧＨｚが最も選択されにくくなるように、割当希望リストは、８００ＭＨｚ→１．７ＧＨｚ→２ＧＨｚ→２．５ＧＨｚ→１．５ＧＨｚとなる。
【００３１】
無線ＬＡＮがＯＮである場合には、無線ＬＡＮの通信で使用する周波数帯が２．４ＧＨｚなので、干渉周波数帯は２．４ＧＨｚ帯である。したがって、干渉周波数帯２．４ＧＨｚが最も選択されにくくなるように、割当希望リストは、８００ＭＨｚ→１．５ＧＨｚ→１．７ＧＨｚ→２ＧＨｚ→２．５ＧＨｚとなる。
【００３２】
ＴＶがＯＮである場合には、ＴＶの通信で使用する周波数帯が９０〜７７０ＭＨｚなので、干渉周波数帯は８００ＭＨｚ帯である。したがって、干渉周波数帯８００ＭＨｚが最も選択されにくくなるように、割当希望リストは、１．５ＧＨｚ→１．７ＧＨｚ→２ＧＨｚ→２．５ＧＨｚ→８００ＭＨｚとなる。
【００３３】
ＧＰＳ、無線ＬＡＮ、ＴＶが共にＯＮである場合、すなわち無線アプリケーションのすべてが動作中である場合には、干渉周波数帯は、１．５ＧＨｚ、２．５ＧＨｚ、および８００ＭＨｚ帯である。したがって、これらの干渉周波数帯が選択されにくくなるように、割当希望リストは、１．７ＧＨｚ→２ＧＨｚ→８００ＭＨｚ→１．５ＧＨｚ→２．５ＧＨｚとなる。
【００３４】
図１に戻り説明を続けると、優先度設定部１４は、上述のように無線アプリケーションの動作状態に応じて携帯通信のための周波数帯割り当て希望リストを設定すると、設定された周波数帯希望リストを携帯通信機能部１６ａに送信する。携帯通信機能部１６ａに送信された周波数帯希望リストは、さらに基地局２０に送信される。基地局２０は、周波数帯希望リストに応じて、携帯通信に割り当てる周波数帯を決定して、携帯通信送受信機１６ｂに通知して、この決定された周波数帯を使用して移動体通信が実行される。
【００３５】
干渉判定部１５は、携帯通信部１１と無線アプリケーション部１２との間に干渉が発生しているか否かを判定する。干渉判定部１５は、携帯通信部１１による通信中に無線アプリケーション部１２のいずれかに起動要求イベントが発生した場合に、携帯通信部１１と、起動要求イベントが発生した無線アプリケーションとの間で干渉が発生するかを判定する。具体的には、干渉判定部１６は、動作検出部１３から、携帯通信部１１で現在使用中の周波数帯と、起動要求イベントが発生した無線アプリケーションの種類の情報を受信して、携帯通信部１１と無線アプリケーション部１２で使用する周波数帯を比較する。両者の周波数帯が近い場合には、干渉の発生を回避するべく、周波数帯割り当て希望リストを再設定する旨の指示を、優先度設定部１４に対して通知する。
【００３６】
図２に、移動通信端末１０のハードウェア構成を示す。図２に示すように、移動通信端末１０は、ＣＰＵ１０１、ＲＡＭ１０２、ＲＯＭ１０３、操作部１０４、ディスプレイ１０５、携帯通信送受信機１６ｂ、ＧＰＳ受信機１７ｂ、無線ＬＡＮ送受信機１８ｂ、及びＴＶ受信機１９ｂ等のハードウェアにより構成されている。図１において説明した各機能は、図２に示すＣＰＵ１０１、ＲＡＭ１０２等のハードウェア上に所定のコンピュータソフトウェアを読み込ませることにより、ＣＰＵ１０１の制御のもとで操作部１０４、ディスプレイ１０６、携帯通信送受信機１６ｂ、ＧＰＳ受信機１７ｂ、無線ＬＡＮ送受信機１８ｂ、及びＴＶ受信機１９ｂを動作させるとともに、ＲＡＭ１０２やＲＯＭ１０３におけるデータの読み出し及び書き込みを行うことで実現される。
【００３７】
続いて、図４および図５のシーケンス図を用いて、本実施形態の移動通信端末１０における周波数帯割り当て処理について説明する。
【００３８】
図４に、携帯通信部１１による着信イベントまたは発信イベントが発生したときに実行される周波数帯割り当て処理のシーケンス図を示す。
【００３９】
待ち受け状態（Ｓ１０１）が継続されている移動通信端末１０と基地局２０との間において、発信イベントまたは着信イベントが発生すると（Ｓ１０２）、移動通信端末１０では、動作検出部１３が、ＧＰＳ機能部１７ａ、無線ＬＡＮ機能部１７ａ及びＴＶ機能部１９ａに対して各無線アプリケーションの動作状況を問い合わせて、現在動作中の無線アプリケーションを検出する（Ｓ１０３）。優先度設定部１４は、動作検出部１３から動作中の無線アプリケーションに関する情報を受信すると、この情報に応じて、動作中の無線アプリケーションと携帯通信部１１との間で干渉が発生しないように、図３に例示したように干渉影響が少ない順に周波数帯を並べた周波数帯割当希望リストを設定する（Ｓ１０４）。携帯通信機能部１６ａは、優先度設定部１４から周波数帯割り当て希望リストを受け取ると、携帯通信送受信機１６ｂを介して無線確立要求とともに基地局２０へ通知する（Ｓ１０５）。
【００４０】
基地局２０は、移動通信端末１０の携帯通信送受信機１６ｂから周波数帯割当て希望リストを受信すると、この希望リストの順位と、周波数帯の空き状況により、移動通信端末１０との通信に割り当てる周波数帯を決定し（Ｓ１０６）、移動通信端末１０の携帯通信送受信機１６ｂへ決定した周波数帯を指定する（Ｓ１０７）。
【００４１】
移動通信端末１０が基地局２０から指定された周波数帯の情報を受信すると、携帯通信機能部１６ａは、指定されて周波数帯を基地局２０との通信に割り当てて（Ｓ１０８）、基地局２０との間で通信を実施する（Ｓ１０９）。
【００４２】
図５に、携帯通信部１１による通信中に、無線アプリケーション部１２のいずれかによる起動要求イベントが発生したときに実行される周波数割り当て処理のシーケンス図を示す。
【００４３】
移動通信端末１０と基地局２０との間で携帯通信部１１による通信が実施されている間に（Ｓ２０１）、移動通信端末１０の無線アプリケーション部１２のいずれかに起動要求イベントが発生すると（Ｓ２０２）、移動通信端末１０において、動作検出部１３が、起動要求イベントが発生した無線アプリケーションで使用される周波数帯と、現在携帯通信部１１により使用されている周波数帯を検出する（Ｓ２０３）。
【００４４】
干渉判定部１６が、動作検出部１３により検出された無線アプリケーションの周波数帯と、携帯通信部１１の周波数帯とを比較して、無線アプリケーション部１２と携帯通信部１１との間で干渉が発生しているか否かを判定する（Ｓ２０４）。無線アプリケーションの周波数帯と、携帯通信部１１の周波数帯とが同一である場合には、干渉が発生していると判定し、ステップＳ２０５に移行する。無線アプリケーションの周波数帯と、携帯通信部１１の周波数帯とが異なる場合には、干渉は発生していないと判定し、携帯通信部１１は現在の周波数帯をそのまま使用して通信を継続する（Ｓ２０６）。
【００４５】
ステップＳ２０４において干渉が発生していると判定されると、優先度設定部１４が、起動要求が発生している無線アプリケーションと、現在動作中の他の無線アプリケーションの種類を動作検出部１３から受信して、干渉を回避するように周波数帯割り当て希望リストを新たに作成する（Ｓ２０５）。
【００４６】
携帯通信機能部１６ａは、優先度設定部１４から周波数帯割り当て希望リストを受け取ると、携帯通信送受信機１６ｂを介して周波数変更要求とともに基地局２０へ通知する（Ｓ２０７）。
【００４７】
基地局２０は、移動通信端末１０の携帯通信送受信機１６ｂから周波数帯割当て希望リストを受信すると、この希望リストの順位と、周波数帯の空き状況により、移動通信端末１０との通信に割り当てる周波数帯を決定し（Ｓ２０８）、移動通信端末１０の携帯通信送受信機１６ｂへ変更した周波数帯を指定する（Ｓ２０９）。
【００４８】
移動通信端末１０が基地局２０から指定された周波数帯の情報を受信すると、携帯通信機能部１６ａは、基地局２０との通信に割り当てた周波数帯を変更し、基地局２０との間で通信を継続する（Ｓ２１０）。
【００４９】
移動通信端末１０では、起動要求が発生した無線アプリケーションが起動される（Ｓ２１１）。
【００５０】
なお、図４および図５に示した周波数割当処理では、ステップＳ１０６やＳ２０８において、希望リストの上位の周波数帯に空きがない場合には、基地局２０が、他の移動通信端末に対して通信周波数の変更を行い、希望の周波数帯に空き回線を作るようにしても良い。さらに、周波数帯割当て希望リスト生成時に、一つの帯域において低域側、高域側のように複数分割することにより、さらに細かな周波数割当て制御を行ってもよい。
【００５１】
続いて、本実施形態に係る移動通信端末１０の作用及び効果について説明する。本実施形態の移動通信端末１０によると、移動通信端末１０に含まれる無線アプリケーション部１２に含まれる少なくとも１つの無線アプリケーション（例えばＧＰＳ、無線ＬＡＮ，ＴＶ）の動作状態に応じて優先度設定部１４により設定される周波数帯割当希望リストに基づいて、携帯通信部１１による基地局２０との通信に使用される周波数帯が選択される。これにより、携帯通信部１１や無線アプリケーション部１２の間で干渉が発生しにくい周波数帯を選択することができるので、同一の移動通信端末で複数の無線通信手段を同時に動作させても、各無線通信手段の間で干渉が発生するのを回避することができる。
【００５２】
続いて、本実施形態に係る移動通信端末の変形例について説明する。本変形例は、上記実施形態に係る移動通信端末において、動作検出部１３が、無線アプリケーション部１２のいずれかに起動要求イベントの発生を検知する度に、優先度設定部１４が逐次、周波数帯割り当て希望リストを更新し、携帯通信機能部１６ａが更新された希望リストを保持しておく。そして、携帯通信部１１による発信イベントまたは着信イベントが発生すると、携帯通信機能部１６ａが、保持してある希望リストを即座に基地局に送信して、周波数帯の割り当て処理を行うようにしたものである。図６に、本変形例における周波数帯割り当て処理のシーケンス図を示す。
【００５３】
移動通信端末１０と基地局２０との間の通信が待ち受け状態（Ｓ３０１）であるときに、移動通信端末１０の無線アプリケーション部１２のいずれかに起動要求イベントが発生する（Ｓ３０２）。移動通信端末１０において、動作検出部１３が、ＧＰＳ機能部１７ａ、無線ＬＡＮ機能部１７ａ及びＴＶ機能部１９ａに対して各無線アプリケーションの動作状況を問い合わせて、現在動作中の無線アプリケーションを検出する（Ｓ３０３）。
【００５４】
優先度設定部１４は、動作検出部１３から動作中の無線アプリケーションに関する情報を受信すると、この情報に応じて、周波数帯割当希望リストを設定する（Ｓ３０４）。携帯通信機能部１６ａは、優先度設定部から周波数帯割り当て希望リストを受け取ると、発着信イベントが発生するまで保持しておく。
【００５５】
移動通信端末１０と基地局２０との間において、発信イベントまたは着信イベントが発生すると（Ｓ３０５）、携帯通信機能部１６ａは、携帯通信送受信機１６ｂを介して、保持していた周波数帯割り当て希望リストを、無線確立要求とともに基地局２０へ通知する（Ｓ３０６）。
【００５６】
基地局２０は、移動通信端末１０の携帯通信送受信機１６ｂから周波数帯割当て希望リストを受信すると、この希望リストの順位と、周波数帯の空き状況により、移動通信端末１０との通信に割り当てる周波数帯を決定し（Ｓ３０７）、移動通信端末１０の携帯通信送受信機１６ｂへ決定した周波数帯を指定する（Ｓ３０８）。
【００５７】
移動通信端末１０が基地局２０から指定された周波数帯の情報を受信すると、携帯通信機能部１６ａは、指定されて周波数帯を基地局２０との通信に割り当てて（Ｓ３０９）、基地局２０との間で通信を実施する（Ｓ３１０）。
【００５８】
なお、上記実施形態およびその変形例においては、優先度設定部１４は、現在動作中の無線アプリケーションの種類に応じて、周波数帯割り当て希望リストを設定していた。この代わりに、優先度設定部１４が、現在の干渉周波数帯を参照して、携帯通信への割り当てを希望しない周波数帯から成る「周波数帯割り当て拒否リスト」を設定するようにしても良い。この場合、基地局２０は、移動通信端末１０から周波数帯割り当て拒否リストを受信すると、この拒否リストに含まれる周波数帯を使用しないように、移動通信端末１０との通信に割り当てる周波数帯を決定する。
【００５９】
図７に、周波数帯割り当て拒否リストを設定するために優先度設定部１４により用いられるルックアップテーブルの一例を示す。図７のテーブル内の「無線アプリケーション動作状態」や「干渉周波数帯」という項目の内容は、図３のものと同一である。図７を参照すると、周波数帯割り当て拒否リストは、無線アプリケーションの動作状態に応じて決定される「干渉周波数帯」を含むように作成される。
【００６０】
また、上記実施形態およびその変形例においては、干渉を回避するために、携帯通信部１１に割り当てる周波数帯を変更していたが、本発明は、複数の周波数帯のいずれかを使用して無線通信を行うことができる他の無線アプリケーションであれば適用することが可能である。例えば携帯通信部１１の代わりに、複数の周波数帯で通信することができる無線ＬＡＮ装置などを対象として、この装置に割り当てる周波数帯を変更するように構成しても良い。また、無線ＬＡＮとＩＭＴ−２０００などの移動体通信方式とが一台の移動通信端末に搭載されている場合、無線ＬＡＮを携帯通信部１１、移動体通信方式を無線アプリケーションとして、本発明を実施しても良い。
【００６１】
また、上記実施形態およびその変形例においては、図３や図７に示すように、動作中の無線アプリケーションが使用する周波数帯のみを干渉周波数帯として取り上げているが、これら干渉周波数帯の２倍波や４倍波などの逓倍、もしくは携帯通信部１１が使用する周波数帯に対し周波数レスポンスの関係となる周波数帯を干渉周波数帯に加えても良い。
【図面の簡単な説明】
【００６２】
【図１】本発明の実施形態に係る移動通信端末の機能的構成を示す図である。
【図２】本発明の実施形態に係る移動通信端末のハードウェア構成図である。
【図３】優先度設定部によって周波数割当て希望リストを設定するために用いられるルックアップテーブルを例示した図である。
【図４】本発明の実施形態に係る移動通信端末による周波数割当て処理を示すシーケンス図である。
【図５】本発明の実施形態に係る移動通信端末による周波数割当て処理を示すシーケンス図である。
【図６】本発明の実施形態の変形例における周波数割当て処理を示すシーケンス図である。
【図７】本発明の実施形態および変形例において、優先度設定部によって周波数割当て拒否リストを設定するために用いられるルックアップテーブルを例示した図である。
【符号の説明】
【００６３】
１０…移動通信端末、１１…携帯通信部、１２…無線アプリケーション部、１３…動作検出部、１４…優先度設定部、１５…干渉判定部、１６ａ…携帯通信機能部、１６ｂ…携帯通信送受信機、１７ａ…ＧＰＳ機能部、１７ｂ…ＧＰＳ受信機、１８ａ…無線ＬＡＮ機能部、１８ｂ…無線ＬＡＮ送受信機、１９ａ…ＴＶ機能部、１９ｂ…ＴＶ受信機、２０…基地局。
【図１】
0004533413.tif 000002
【図２】
0004533413.tif 000003
【図３】
0004533413.tif 000004
【図４】
0004533413.tif 000005
【図５】
0004533413.tif 000006
【図６】
0004533413.tif 000007
【図７】
0004533413.tif 000008